(57)【要約】      （修正有）【課題】生活シーンをトラッキングするシステムを提供する。【解決手段】領域名称自動生成部２０９を用いて活動領域分析部２０８により分析した生活パターンの分析結果に基づいて領域名称定義ＤＢ２０４に領域名称の定義を行う第１工程と、ＧＰＳ領域名称割付部２０６を用いて領域名称定義ＤＢ２０４に定義した領域名称をＧＰＳデータに割り付ける第２工程と、活動領域内容表示部２０７を用いて活動データＤＢ２０３に格納した活動データを時系列に並べた活動情報バーとＧＰＳデータに割り付けた領域名称を時系列に並べた領域名称バーを同一時間軸にて表示する生活状況閲覧画面１３を生成する第３工程とを実行する生活行動トラッキングシステム。【選択図】図１
2016077660.tif 000002
【特許請求の範囲】
【請求項１】
人体の動きから人体の活動状況の生活行動を記録する活動量計と、ＧＰＳを内蔵して移動経路の位置情報を記録するＧＰＳ機器と、前記活動量計及びＧＰＳ機器の測定情報に基づいて生活行動と位置情報とを組み合わせて利用者の生活行動をトラッキングする生活状況可視化サーバとを備える生活行動トラッキングシステムであって、
前記生活状況可視化サーバが、
前記活動量計が記録した活動データを格納する活動データＤＢと、
前記ＧＰＳ機器が記録した時刻毎の位置情報を格納するＧＰＳデータＤＢと、
地図情報を格納するマップデータＤＢと、
利用者が活動を行った領域の領域名称をＧＰＳの位置情報に割り付けるＧＰＳ領域名称割付部と、
前記ＧＰＳ機器にて記録した位置情報及び活動量計にて計測した活動データの組み合わせによって領域の名称を作成する領域名称自動生成部と、
該領域名称自動生成部を用いて作成された領域名称を定義した領域名称データを格納する領域名称定義ＤＢと、
前記活動データ及び活動を行った領域データを同一時刻軸にて表示する活動領域内容表示部と、
活動データＤＢに格納した活動データ及びＧＰＳデータＤＢに格納した位置情報に基づいて指定された時刻範囲内における利用者の生活シーンを分析する活動領域分析部とを備え、
前記領域名称自動生成部を用いて活動領域分析部により分析した生活パターンの分析結果に基づいて領域名称定義ＤＢに領域名称の定義を行う第１工程と、
前記ＧＰＳ領域名称割付部を用いて前記領域名称定義ＤＢに定義した領域名称をＧＰＳデータに割り付ける第２工程と、
前記活動領域内容表示部を用いて前記活動データＤＢに格納した活動データを時系列に並べた活動情報バーと前記第２工程によりＧＰＳデータに割り付けた領域名称を時系列に並べた領域名称バーを同一時間軸にて表示する生活状況閲覧画面を生成する第３工程とを実行することを特徴とする生活行動トラッキングシステム。
【請求項２】
前記領域名称自動生成部が、位置情報及び活動データの組み合わせによって領域の名称を作成するとき、特定の時間帯における特定の活動データの発生頻度と位置情報とを組み合わせることによって、領域名称を作成することを特徴とする請求項１記載の生活行動トラッキングシステム。
【請求項３】
前記マップデータＤＢに格納された地図情報及びＧＰＳデータＤＢに格納した位置情報に基づいて利用者が手動にて領域名称を作成するための領域名称手動生成部を備え、該領域名称手動生成部により生成した領域名称を領域名称定義ＤＢに格納する第４工程を実行することを特徴とする請求項１又は２記載の生活行動トラッキングシステム。
【請求項４】
前記活動領域内容表示部が、前記第３工程において、前記活動情報バーに活動データが存在しない時刻帯があるか否かを判定し、活動データが存在しない空白時刻帯があると判定したとき、該空白時刻帯の開始時刻以降の時刻帯を空白とした時差削除エリアを含む第１の活動情報バーと、前記空白時刻帯の開始時刻以前の時刻帯を空白とした時差削除エリアを含む第２の活動情報バーとを多段に表示する生活状況閲覧画面を生成することを特徴とする請求項１から３何れかに記載の生活行動トラッキングシステム。
【請求項５】
人体の動きから人体の活動状況の生活行動を記録する活動量計と、ＧＰＳを内蔵して移動経路の位置情報を記録するＧＰＳ機器と、前記活動量計が記録した活動データを格納する活動データＤＢと前記ＧＰＳ機器が記録した時刻毎の位置情報を格納するＧＰＳデータＤＢと地図情報を格納するマップデータＤＢと利用者が活動を行った領域の領域名称をＧＰＳの位置情報に割り付けるＧＰＳ領域名称割付部と前記ＧＰＳ機器にて記録した位置情報及び活動量計にて計測した活動データの組み合わせによって領域の名称を作成する領域名称自動生成部と該領域名称自動生成部を用いて作成された領域名称を定義した領域名称データを格納する領域名称定義ＤＢと前記活動データ及び活動を行った領域データを同一時刻軸にて表示する活動領域内容表示部と活動データＤＢに格納した活動データ及びＧＰＳデータＤＢに格納した位置情報に基づいて指定された時刻範囲内における利用者の生活シーンを分析する活動領域分析部とを備える生活状況可視化サーバとを備え、前記活動量計及びＧＰＳ機器の測定情報に基づいて生活行動と位置情報とを組み合わせて利用者の生活行動をトラッキングする生活状況可視化サーバとを備えたコンピュータシステムにおける生活行動トラッキング方法であって、
前記生活状況可視化サーバに、
前記領域名称自動生成部を用いて活動領域分析部により分析した生活パターンの分析結果に基づいて領域名称定義ＤＢに領域名称の定義を行う第１工程と、
前記ＧＰＳ領域名称割付部を用いて前記領域名称定義ＤＢに定義した領域名称をＧＰＳデータに割り付ける第２工程と、
前記活動領域内容表示部を用いて前記活動データＤＢに格納した活動データを時系列に並べた活動情報バーと前記第２工程によりＧＰＳデータに割り付けた領域名称を時系列に並べた領域名称バーを同一時間軸にて表示する生活状況閲覧画面を生成する第３工程とを実行させることを特徴とする生活行動トラッキング方法。
【請求項６】
前記領域名称自動生成部に、位置情報及び活動データの組み合わせによって領域の名称を作成するとき、特定の時間帯における特定の活動データの発生頻度と位置情報とを組み合わせることによって、領域名称を作成させることを特徴とする請求項５記載の生活行動トラッキング方法。
【請求項７】
前記マップデータＤＢに格納された地図情報及びＧＰＳデータＤＢに格納した位置情報に基づいて利用者が手動にて領域名称を作成するための領域名称手動生成部を設け、該領域名称手動生成部を用いて生成した領域名称を領域名称定義ＤＢに格納する第４工程を実行させることを特徴とする請求項５又は６記載の生活行動トラッキング方法。
【請求項８】
前記活動領域内容表示部に、前記第３工程において、前記活動情報バーに活動データが存在しない時刻帯があるか否かを判定し、活動データが存在しない空白時刻帯があると判定したとき、該空白時刻帯の開始時刻以降の時刻帯を空白とした時差削除エリアを含む第１の活動情報バーと、前記空白時刻帯の開始時刻以前の時刻帯を空白とした時差削除エリアを含む第２の活動情報バーとを多段に表示する生活状況閲覧画面を生成させることを特徴とする請求項５から７何れかに記載の生活行動トラッキング方法。
【請求項９】
人体の動きから人体の活動状況の生活行動を記録する活動量計と、ＧＰＳを内蔵して移動経路の位置情報を記録するＧＰＳ機器と、前記活動量計が記録した活動データを格納する活動データＤＢと前記ＧＰＳ機器が記録した時刻毎の位置情報を格納するＧＰＳデータＤＢと地図情報を格納するマップデータＤＢと利用者が活動を行った領域の領域名称をＧＰＳの位置情報に割り付けるＧＰＳ領域名称割付部と前記ＧＰＳ機器にて記録した位置情報及び活動量計にて計測した活動データの組み合わせによって領域の名称を作成する領域名称自動生成部と該領域名称自動生成部を用いて作成された領域名称を定義した領域名称データを格納する領域名称定義ＤＢと前記活動データ及び活動を行った領域データを同一時刻軸にて表示する活動領域内容表示部と活動データＤＢに格納した活動データ及びＧＰＳデータＤＢに格納した位置情報に基づいて指定された時刻範囲内における利用者の生活シーンを分析する活動領域分析部とを備える生活状況可視化サーバとを備え、前記活動量計及びＧＰＳ機器の測定情報に基づいて生活行動と位置情報とを組み合わせて利用者の生活行動をトラッキングする生活状況可視化サーバとを備えたコンピュータシステムにおける生活行動トラッキングプログラムであって、
前記生活状況可視化サーバに、
前記領域名称自動生成部を用いて活動領域分析部により分析した生活パターンの分析結果に基づいて領域名称定義ＤＢに領域名称の定義を行う第１工程と、
前記ＧＰＳ領域名称割付部を用いて前記領域名称定義ＤＢに定義した領域名称をＧＰＳデータに割り付ける第２工程と、
前記活動領域内容表示部を用いて前記活動データＤＢに格納した活動データを時系列に並べた活動情報バーと前記第２工程によりＧＰＳデータに割り付けた領域名称を時系列に並べた領域名称バーを同一時間軸にて表示する生活状況閲覧画面を生成する第３工程とを実行させることを特徴とする生活行動トラッキングプログラム。
【請求項１０】
前記領域名称自動生成部に、位置情報及び活動データの組み合わせによって領域の名称を作成するとき、特定の時間帯における特定の活動データの発生頻度と位置情報とを組み合わせることによって、領域名称を作成させることを特徴とする請求項９記載の生活行動トラッキングプログラム。
【請求項１１】
前記マップデータＤＢに格納された地図情報及びＧＰＳデータＤＢに格納した位置情報に基づいて利用者が手動にて領域名称を作成するための領域名称手動生成部を設け、該領域名称手動生成部を用いて生成した領域名称を領域名称定義ＤＢに格納する第４工程を実行させることを特徴とする請求項９又は１０記載の生活行動トラッキングプログラム。
【請求項１２】
前記活動領域内容表示部に、前記第３工程において、前記活動情報バーに活動データが存在しない時刻帯があるか否かを判定し、活動データが存在しない空白時刻帯があると判定したとき、該空白時刻帯の開始時刻以降の時刻帯を空白とした時差削除エリアを含む第１の活動情報バーと、前記空白時刻帯の開始時刻以前の時刻帯を空白とした時差削除エリアを含む第２の活動情報バーとを多段に表示する生活状況閲覧画面を生成させることを特徴とする請求項９から１１何れかに記載の生活行動トラッキングプログラム。
【発明の詳細な説明】
【技術分野】
【０００１】
本発明は、人体に装着した活動量計及びＧＰＳ（Ｇｌｏｂａｌ  Ｐｏｓｉｔｉｏｎｉｎｇ  Ｓｙｓｔｅｍ）機器を使用して利用者の生活行動をトラッキングすることができる生活行動トラッキングシステム、生活行動トラッキング方法及び生活行動トラッキングプログラムに係り、特に活動量計により計測した人体の睡眠・休息・歩行・運動等の生活行動とＧＰＳ機器により測定した位置情報とを組み合わせて利用者の生活行動をトラッキングすることができる生活行動トラッキングシステム、生活行動トラッキング方法及び生活行動トラッキングプログラムに関する。
【背景技術】
【０００２】
近年、人体の腕等に装着して内蔵する三次元加速度センサを用いて人体の動きから身体活動の強度を測定し、睡眠・安静・歩行・ランニング・家事・デスクワーク等の生活行動を記録することができる活動量計や、ＧＰＳを内蔵して移動経路を測定及び記録するＧＰＳロガーや、ＧＰＳを内蔵して移動経路を測定及び記録するアプリケーションをインストール可能なスマートフォンが普及している。
【０００３】
活動量計では、日常身体活動の時系列的な状態を質的な面から把握して改善目標等を提供するため、特開２００７−２７５２６０号公報（特許文献１）に記載の技術がある。この公報には、「三次元加速度センサにより歩行体の活動強度データを活動時間帯とともに収集し、当該活動強度データ及び活動時間帯を、少なくとも外部環境情報、固定情報で補正して得た補正後測定値を基に各種の評価を行う」という記載がある。
【０００４】
ＧＰＳ機器では、出発地点から現在地までの経路が判り、簡単に出発地点に戻ることのできる装置を提供するため、特開平８−６８６４３号公報（特許文献２）に記載の技術がある。この公報には、「歩行検出手段の歩行検出出力と方位検出手段の検出方位に基づき、歩行検出出力を歩行距離に換算しながら所定の起点から見た歩行者の相対的な位置を自立航法により計算した位置データ列を歩行軌跡記憶手段に歩行軌跡データとして記録する」という記載がある。
【先行技術文献】
【特許文献】
【０００５】
【特許文献１】特開２００７−２７５２６０号公報
【特許文献２】特開平８−６８６４３号公報
【発明の概要】
【発明が解決しようとする課題】
【０００６】
前述の特許文献１に記載された技術は、三次元加速度センサを用いて人体の睡眠や歩行等の活動内容を測定することができる効果に留まり、特許文献２に記載された技術は、利用者が移動した経路や場所を記録することができる効果に留まる。
【０００７】
そこで、本発明では、活動量計により計測した人体の生活行動とＧＰＳ機器により測定した位置情報とを組み合わせて利用者の生活シーンをトラッキングすることができる生活行動トラッキングシステム、生活行動トラッキング方法及び生活行動トラッキングプログラムを提供することを目的とする。
【課題を解決するための手段】
【０００８】
前記目的を達成するため本発明による生活行動トラッキングシステムは、人体の動きから人体の活動状況の生活行動を記録する活動量計と、ＧＰＳを内蔵して移動経路の位置情報を記録するＧＰＳ機器と、前記活動量計及びＧＰＳ機器の測定情報に基づいて生活行動と位置情報とを組み合わせて利用者の生活行動をトラッキングする生活状況可視化サーバとを備える生活行動トラッキングシステムであって、
前記生活状況可視化サーバが、
前記活動量計が記録した活動データを格納する活動データＤＢと、
前記ＧＰＳ機器が記録した時刻毎の位置情報を格納するＧＰＳデータＤＢと、
地図情報を格納するマップデータＤＢと、
利用者が活動を行った領域の領域名称をＧＰＳの位置情報に割り付けるＧＰＳ領域名称割付部と、
前記ＧＰＳ機器にて記録した位置情報及び活動量計にて計測した活動データの組み合わせによって領域の名称を作成する領域名称自動生成部と、
該領域名称自動生成部を用いて作成された領域名称を定義した領域名称データを格納する領域名称定義ＤＢと、
前記活動データ及び活動を行った領域データを同一時刻軸にて表示する活動領域内容表示部と、
活動データＤＢに格納した活動データ及びＧＰＳデータＤＢに格納した位置情報に基づいて指定された時刻範囲内における利用者の生活シーンを分析する活動領域分析部とを備え、
前記領域名称自動生成部を用いて活動領域分析部により分析した生活パターンの分析結果に基づいて領域名称定義ＤＢに領域名称の定義を行う第１工程と、
前記ＧＰＳ領域名称割付部を用いて前記領域名称定義ＤＢに定義した領域名称をＧＰＳデータに割り付ける第２工程と、
前記活動領域内容表示部を用いて前記活動データＤＢに格納した活動データを時系列に並べた活動情報バーと前記第２工程によりＧＰＳデータに割り付けた領域名称を時系列に並べた領域名称バーを同一時間軸にて表示する生活状況閲覧画面を生成する第３工程とを実行することを主な特徴とする。
【０００９】
また、本発明による生活行動トラッキング方法は、人体の動きから人体の活動状況の生活行動を記録する活動量計と、ＧＰＳを内蔵して移動経路の位置情報を記録するＧＰＳ機器と、前記活動量計が記録した活動データを格納する活動データＤＢと前記ＧＰＳ機器が記録した時刻毎の位置情報を格納するＧＰＳデータＤＢと地図情報を格納するマップデータＤＢと利用者が活動を行った領域の領域名称をＧＰＳの位置情報に割り付けるＧＰＳ領域名称割付部と前記ＧＰＳ機器にて記録した位置情報及び活動量計にて計測した活動データの組み合わせによって領域の名称を作成する領域名称自動生成部と該領域名称自動生成部を用いて作成された領域名称を定義した領域名称データを格納する領域名称定義ＤＢと前記活動データ及び活動を行った領域データを同一時刻軸にて表示する活動領域内容表示部と活動データＤＢに格納した活動データ及びＧＰＳデータＤＢに格納した位置情報に基づいて指定された時刻範囲内における利用者の生活シーンを分析する活動領域分析部とを備える生活状況可視化サーバとを備え、前記活動量計及びＧＰＳ機器の測定情報に基づいて生活行動と位置情報とを組み合わせて利用者の生活行動をトラッキングする生活状況可視化サーバとを備えたコンピュータシステムにおける生活行動トラッキング方法であって、
前記生活状況可視化サーバに、
前記領域名称自動生成部を用いて活動領域分析部により分析した生活パターンの分析結果に基づいて領域名称定義ＤＢに領域名称の定義を行う第１工程と、
前記ＧＰＳ領域名称割付部を用いて前記領域名称定義ＤＢに定義した領域名称をＧＰＳデータに割り付ける第２工程と、
前記活動領域内容表示部を用いて前記活動データＤＢに格納した活動データを時系列に並べた活動情報バーと前記第２工程によりＧＰＳデータに割り付けた領域名称を時系列に並べた領域名称バーを同一時間軸にて表示する生活状況閲覧画面を生成する第３工程とを実行させることを主な特徴とする。
【００１０】
さらに、本発明による生活行動トラッキングプログラムは、人体の動きから人体の活動状況の生活行動を記録する活動量計と、ＧＰＳを内蔵して移動経路の位置情報を記録するＧＰＳ機器と、前記活動量計が記録した活動データを格納する活動データＤＢと前記ＧＰＳ機器が記録した時刻毎の位置情報を格納するＧＰＳデータＤＢと地図情報を格納するマップデータＤＢと利用者が活動を行った領域の領域名称をＧＰＳの位置情報に割り付けるＧＰＳ領域名称割付部と前記ＧＰＳ機器にて記録した位置情報及び活動量計にて計測した活動データの組み合わせによって領域の名称を作成する領域名称自動生成部と該領域名称自動生成部を用いて作成された領域名称を定義した領域名称データを格納する領域名称定義ＤＢと前記活動データ及び活動を行った領域データを同一時刻軸にて表示する活動領域内容表示部と活動データＤＢに格納した活動データ及びＧＰＳデータＤＢに格納した位置情報に基づいて指定された時刻範囲内における利用者の生活シーンを分析する活動領域分析部とを備える生活状況可視化サーバとを備え、前記活動量計及びＧＰＳ機器の測定情報に基づいて生活行動と位置情報とを組み合わせて利用者の生活行動をトラッキングする生活状況可視化サーバとを備えたコンピュータシステムにおける生活行動トラッキングプログラムであって、
前記生活状況可視化サーバに、
前記領域名称自動生成部を用いて活動領域分析部により分析した生活パターンの分析結果に基づいて領域名称定義ＤＢに領域名称の定義を行う第１工程と、
前記ＧＰＳ領域名称割付部を用いて前記領域名称定義ＤＢに定義した領域名称をＧＰＳデータに割り付ける第２工程と、
前記活動領域内容表示部を用いて前記活動データＤＢに格納した活動データを時系列に並べた活動情報バーと前記第２工程によりＧＰＳデータに割り付けた領域名称を時系列に並べた領域名称バーを同一時間軸にて表示する生活状況閲覧画面を生成する第３工程とを実行させることを主な特徴とする。
【発明の効果】
【００１１】
本発明による生活行動トラッキングシステム、生活行動トラッキング方法及び生活行動トラッキングプログラムは、活動量計により計測した人体の生活行動とＧＰＳ機器により測定した位置情報とを組み合わせて利用者の生活シーンをトラッキングすることができる。
【図面の簡単な説明】
【００１２】
【図１】本発明の実施例による生活行動トラッキングシステムの基本的構成を示す図。
【図２】本実施例による生活行動トラッキングシステムの生活状況可視化画面を示す図。
【図３】本実施例による活動データＤＢの内容例を示す図。
【図４】本実施例による領域名称定義ＤＢの内容を示す図。
【図５】本実施例による領域名称手動設定画面を示す図。
【図６】本実施例による領域名称自動設定手順を説明するための図。
【図７】第２の実施例による領域名称手動設定画面の生成手順を説明するための図。
【発明を実施するための形態】
【００１３】
以下、本発明による実施例を説明する。
【実施例１】
【００１４】
［構成］
本実施例による生活行動トラッキングシステムは、図１に示す如く、人体の腕等に装着して内蔵する三次元加速度センサを用いて人体の動きから身体活動の強度を測定し、活動状況の生活行動を記録することができる活動量計２０と、ＧＰＳを内蔵して移動経路を測定及び記録するＧＰＳ機器３０と、該活動量計２０及びＧＰＳ機器３０と接続され、利用者が操作するコンピュータであるＰＣ１０と、該ＰＣ１０とネットワークを介して接続され、前記活動量計２０及びＧＰＳ機器３０の測定情報に基づいて生活行動と位置情報とを組み合わせて利用者の生活行動をトラッキングし、可視化する生活状況可視化サーバ２００とを備える。前記活動状況とは、例えば、睡眠・安静・歩行・ランニング・家事・デスクワーク等である。
【００１５】
前記生活状況可視化サーバ２００は、次の構成を備える。
（１）活動量計２０及びＧＰＳ機器３０が測定した活動データ及び時刻に連動した位置情報（経緯緯度）をＰＣ１０を介して入力するＩ／Ｆ（ＩｎｔｅｒＦａｃｅ）部２１２。
（２）前記活動量計２０が測定した活動データを格納する活動データＤＢ（ＤａｔａＢａｓｅ）２０３。
（３）前記ＧＰＳ機器３０が計測した時刻毎の位置情報を格納するＧＰＳデータＤＢ２０１。
【００１６】
（４）ラウンドマークを含む地図情報を格納するマップデータＤＢ２０２。
（５）マップデータＤＢ２０２に格納された地図情報及びＧＰＳデータＤＢ２０１に格納した位置情報に基づいて利用者が手動にて領域の名称（例えば、自宅、会社、出張先その他名称）を作成するための領域名称手動生成部２１０。
（６）利用者が活動を行った領域の領域名称をＧＰＳデータ（位置情報）に割り付けるＧＰＳ領域名称割付部２０６。
（７）ＧＰＳ機器３０にて測定した位置情報及び活動量計２０にて計測した活動データの組み合わせによって領域の名称（例えば、自宅、会社、出張先その他名称）を自動的に作成するための領域名称自動生成部２０９。
【００１７】
（８）領域名称手動生成部２１０又は領域名称自動生成部２０９を用いて作成された領域名称を定義した領域名称データを格納する領域名称定義ＤＢ２０４。
（９）利用者の活動データ及び活動を行った領域データを同一時刻軸にて表示する活動領域内容表示部２０７。
（１０）活動データＤＢ２０３に格納した活動データ及びＧＰＳデータＤＢ２０１に格納した位置情報を分析した生活シーン（活動内容）を自動的に生成する活動領域分析部２０８。
【００１８】
（１１）活動量計２０及びＧＰＳ機器３０が測定した活動データ及び時刻に連動した位置情報（経緯緯度）をＩ／Ｆ部２１２を介して活動データＤＢ２０３及びＧＰＳデータＤＢ２０１にＰＣ１０のデータアップ画面１２を用いて格納すると共に、ＰＣ１０の領域名設定画面１１を表示しながら領域名称手動生成部２１０を用いて領域名称を設定する利用者管理部２０５。
【００１９】
尚、前記ＧＰＳ機器３０は、ＧＰＳロガーや、ＧＰＳを内蔵して移動経路を測定及び記録するアプリケーションをインストールしたスマートフォン及びタブレット等の携帯端末であっても良い。
【００２０】
前記活動データＤＢ２０３に格納された活動データは、図３に示す如く、利用者毎に該利用者が活動した年月日と、当該活動の開始時刻と、当該活動の終了時刻と、当該活動の活動名称の各項目情報をとから構成される。図示の例の活動データは、次のレコードの如く時刻範囲毎の活動データが格納されている。
【００２１】
・特定の利用者が、年月日「２０１４／０８／２５」の開始時刻「００：００」から「０２：１５」迄の間の活動名称が「睡眠」。
・同日付の開始時刻「０２：１５」から「０２：２０」迄の間の活動名称が「安静」（目覚めたが横になっている状態）。
【００２２】
〜中略〜
・同開始時刻「０４：３０」から「０５：００」迄の間の活動名称が「睡眠」。
・同開始時刻「０５：００」から「０５：３０」迄の間の活動名称が「立位作業」（洗顔等）。
・同開始時刻「０５：３０」から「０７：００」迄の間の活動名称が「座位作業」（朝食その他）。
・同開始時刻「０７：００」から「０７：３０」迄の間の活動名称が「歩行」。
・同開始時刻「０７：３０」から「０７：４５」迄の間の活動名称が「電車」（電車通勤）。
【００２３】
・同開始時刻「０７：４５」から「０８：３０」迄の間の活動名称が「歩行」。
・同開始時刻「０８：３０」から「０９：１０」迄の間の活動名称が「立位作業」（出勤直後）。
・同開始時刻「０９：１０」から「１１：３０」迄の間の活動名称が「座位作業」（デスクワーク）。
【００２４】
この活動データは、活動量計２０に内蔵された三次元加速度センサを用い、この三次元加速度センサが検出した加速度方向や速度に基づいて人体の睡眠・歩行（移動）・ランニング（移動）・電車（移動）・立位作業・座位作業等の生活行動を検出する機能を利用する。この活動量計２０は、ウェアラブルデバイス又はリストバンド型ライフレコーダと呼ばれ、「睡眠」「安静」「デスクワーク」「軽作業」「作業」「歩行」「ジョギング」「非装着」等の生活活動状況を測定する周知な機器である。このような活動量計２０に関する技術が掲載されたサイトとしては、例えば、次のものが挙げられる。
【００２５】
ＵＲＬ：ｈｔｔｐ：／／ｍｏｎｏｉｓｔ．ａｔｍａｒｋｉｔ．ｃｏ．ｊｐ／ｍｎ／ａｒｔｉｃｌｅｓ／１３０２／０１／ｎｅｗｓ０８０．ｈｔｍｌ
ＵＲＬ：ｈｔｔｐｓ：／／ｗｗｗ．ｈｉｔａｃｈｉ−ｓｙｓｔｅｍｓ．ｃｏｍ／ｎｅｗｓ／２０１３／２０１３０８０６．ｈｔｍｌ）
【００２６】
前記領域名称定義ＤＢ２０４は、図４に示す如く、定義した自宅や勤務先等の領域に利用者が存在した年月日と、利用者が当該領域に存在した開始時刻と、当該領域に存在した終了時刻と、当該領域の名称の各項目情報とから構成される。図示の例の領域名称定義データは、例えば、時刻範囲毎の生活シーンに合わせた次のレコードの如き領域データが格納されている。
【００２７】
・特定の利用者が、年月日「２０１４／０８／２５」の開始時刻「００：００」から「０７：００」迄の間に存在した領域名称が「自宅」。
・同日付の開始時刻「０７：００」から「０８：３０」迄の間の領域名称が「通勤」。
・同日付の開始時刻「０８：３０」から「１５：００」迄の間の領域名称が「会社」。
【００２８】
なお、本明細書で述べる領域とは、利用者の生活シーン（生活者の生活場面）において意味のある地理的場所を定義したものである。この意味のある領域とは、例えば、自宅・自宅付近・商店街・病院・集会所・公園・図書館・スポーツジム・散歩ルート等の利用者個人とって意味のある場所と、会社・会社付近・会社倉庫・会社営業所・会社巡回先・頻繁に訪れる出張先・通勤ルート等の利用者の仕事（勤務）上での意味のある場所に分けられる。
【００２９】
前記ＧＰＳデータＤＢ２０１は、ＧＰＳ機器３０により測定された利用者の所定時間毎の地理的位置（経緯緯度）を格納したものであり、前記マップデータＤＢ２０２は、ラウンドマークとなる施設名（一般の地図上に配置される主な施設であって、例えば、駅、大型ビル、ガソリンスタンド、コンビニエンスストアー、公共施設、病院その他）を登録した地図データである。
【００３０】
また、本実施例においては生活状況可視化サーバ２００のＩ／Ｆ部及びＤＢを除く利用者管理部２０５等をハードウェアの如く表記したが、生活状況可視化サーバ２００は一般のコンピュータサーバであって、利用者管理部２０５等の各機能をソフトウェアによって実現するように構成される。
【００３１】
［動作］
このように構成された本実施例による生活行動トラッキングシステムは、次のように動作する。
第１工程：利用者が活動量計２０を人体に装着し且つＧＰＳ機器３０を持参した状態で通常の生活活動を行うことによって、活動量計２０が利用者の活動データを記憶すると共に、ＧＰＳ機器３０が利用者の時刻毎の位置情報を記憶する。
【００３２】
第２工程：利用者がＰＣ１０に活動量計２０及びＧＰＳ機器３０を接続し、ＰＣ１０のデータアップ画面１２を用いて活動量計２０及びＧＰＳ機器３０から活動データ及びＧＰＳデータを生活状況可視化サーバ２００のＩ／Ｆ２１２を介して利用者管理部２０５に入力し、利用者管理部２０５が入力した活動データ及びＧＰＳデータを活動データＤＢ２０３及びＧＰＳデータＤＢ２０１に格納する。
【００３３】
第３工程：利用者がＰＣ１０の領域名設定画面１１を参照しながら領域名称手動生成部２１０を用いてマップデータＤＢ２０２の地図情報を参照し、自己の生活シーンに合わせた場所に領域名を手動生成し、領域名称定義ＤＢ２０４に登録する。
【００３４】
この第３工程は、図５に示すＰＣ１０の領域名称手動設定画面５０に示す如く、自宅から会社までの生活活動により得られたＧＰＳ機器３０による移動経路が「×」にて表示された地図情報を下段に表示し、地図上の位置から利用者が地図位置に応じて「自宅」「通勤」「会社」等の領域名称を上段の領域名称バーに手動登録するものである。この領域名手動生成は、参照した場所が生活シーンにおいて意味のある場所（例えば、自宅・会社他）であることを手動で登録するものである。この第３工程は、全ての領域に対して必要とするものではなく、領域名称の自動割り付け機能によって領域名称割り付けが困難な生活シーンにおける意味のある場所のみを手動登録するようにしても良い。この領域名称割り付けが困難な生活シーンにおける意味のある場所とは、例えば、領域名称自動生成処理やランドマークでは領域名称付与が困難な会社倉庫・会社営業所・会社巡回先・頻繁に訪れる出張先（顧客含む）・集会所・スポーツジム・散歩ルートなどが挙げられる。
【００３５】
第４工程：ＧＰＳ領域名称割付部２０６が、利用者が領域名称定義ＤＢ２０４に定義した領域名称をＧＰＳデータに割り付ける。
【００３６】
第５工程：活動領域内容表示部２０７が、ＰＣ１０の生活状況閲覧画面１３に、活動データＤＢ２０３に格納された活動データ及び領域名称定義ＤＢ２０４に格納された領域名称データを同一時刻軸に表示する。
【００３７】
第６工程：活動領域分析部２０８が、活動データＤＢ２０３に格納した活動データ及び領域名称定義ＤＢ２０４に格納した領域名称定義データとＧＰＳデータＤＢ２０１に格納した位置情報を参照し、指定された時刻範囲内における利用者の生活シーンを分析する。
【００３８】
この利用者の生活シーンの分析を、図６（ｃ）に示す如く、利用者の所定期間（例えば１ケ月）における利用者のＧＰＳ機器３０により検出した位置情報を「×」として地図上にプロットした例を参照して説明する。
【００３９】
この活動領域分析部２０８による分析は、図示した地図上にプロットした位置情報「×」の所定時刻範囲と同時刻帯の活動データとの組み合わせによって、生活シーンを分析する。例えば、所定時刻範囲が「２２時〜翌０６時」且つ同時刻帯の活動データが「睡眠」の位置情報を抽出し、この深夜帯の位置情報「×」の経緯緯度をプロットした図６（ａ）に示す如く、経緯緯度の頻度（プロット数）が所定の閾値を越えた最も頻度が高い位置情報の領域を「自宅」と識別する。また、所定時刻範囲が「１０時〜１７時」且つ同時刻帯の活動データが「立位作業・座位作業」の位置情報を抽出し、この昼間時間帯の位置情報「×」の経緯緯度をプロットした図６（ｂ）に示す如く、経緯緯度の頻度（プロット数）が所定の閾値を越えた最も頻度が高い位置情報の領域を「本社（会社・職場）」と識別する。本例においては、図６（ｂ）のプロットに次に頻度が高い位置情報の領域があることから、該領域を「支社」と識別する。
【００４０】
すなわち、本実施例による生活シーンの分析は、通常は利用者が深夜時間帯に睡眠をとる場所が「自宅」であり、利用者が昼間時間帯において立位作業や座位作業を行う場所が職場であることから、一般の活動データと時刻帯との関係を予め領域名称設定テーブル等の記憶手段に格納しておき、領域名称自動生成部２０９が特定の時刻帯（深夜、夜間等）における特定の活動データ（睡眠、立位作業、座位作業等）の発生頻度と位置情報との組み合わせを領域名称設定テーブルを参照することによって、利用者の生活シーンを分析するように動作する。前記領域名称設定テーブルは、例えば、活動データ「睡眠」と時刻帯「２３時〜０５時」の組み合わせが「睡眠」、活動データ「立位作業、座位作業」と時刻帯「０７時〜１７時」の組み合わせが「会社」の如く格納される。
【００４１】
なお、前述の分析に用いる時刻帯は、利用者の勤務態勢が深夜業務であり、昼間に睡眠をとる生活パターンの場合は、手動により時間帯を設定することや、活動データ「睡眠」が昼間且つ同一領域（位置情報）に集中していることを検出し、この検出した領域を「自宅」と自動的に設定するように構成しても良い。
【００４２】
第７工程：領域名称自動生成部２０９が、前記活動領域分析部２０８により分析した生活パターンの分析結果に基づいて、領域名称定義ＤＢ２０４の領域（位置情報）に領域名称の定義を行う。この領域名称定義ＤＢ２０４に定義した領域名称は、ＧＰＳ領域名称割付部２０６を介してＧＰＳデータに割り付け、反映される。
【００４３】
第８工程：利用者がＰＣ１０を用いて図２に示す同一時刻軸の活動情報及び領域名称データを含む生活状況閲覧画面を表示する。
【００４４】
この生活状況閲覧画面は、図２に示す如く、活動量計２０が測定した時系列の「睡眠」「安静」「歩行」「電車」等の活動データを２４時間の範囲で並べた活動情報バー２１と、該活動情報バー２１と同軸時刻軸に「自宅」「通勤」「会社」等の領域名称を並べた領域名称バー２２とから構成される。該領域名称バー２２に並べられた領域名称は、前記領域名称手動生成部２１０又は領域名称自動生成部２０９によって時刻毎に割り付けられた領域名称である。なお、活動情報バー２１中の「食事打刻」とは利用者が手動により該当の時刻帯に食事をしたことを登録したものである。
【００４５】
このように本実施例による生活状況可視化サーバ２００は、従来技術による活動量計では、活動を行った場所を含む生活シーン（生活者の生活場面）を特定できないため次の課題があり、従来技術によるＧＰＳ機器では、利用者の移動場所を記録することができるものの、利用者の活動内容を特定できないため次の課題があったのに対し、活動量計により計測した生活行動とＧＰＳ機器により測定した位置情報とを組み合わせて利用者の生活シーンをトラッキングすることができる。
【００４６】
［従来技術による活動量計による課題］
（１）行動を行った場所を特定できないこと。例えば、睡眠場所が自宅か通勤等の移動中か出張先か渡航先か公園か介護施設かを特定することができないこと等の行動を行った場所を特定できないこと。
（２）日常的生活活動が正常に行われているか判定できないこと。例えば、通勤頻度や通院頻度や外出頻度や自宅こもり時間が適正か、徘徊行動がないこと等の日常的生活活動が正常に行われている等の判定ができないこと。
【００４７】
（３）活動情報のみでは、生活パターンの把握が困難であること。例えば、いつも何処で何をしているか、自宅で睡眠取れているか、職場での仮眠はどうか、夜中に出歩いていないか、日中、自宅に引きこもっていないか等の生活パターンの把握が困難であること。
（４）活動情報のみでは、仕事パターンの把握が困難なこと。例えば、会社での肉体労働量は適切か否か、介護者等の作業負担（作業配分）が適切か、調整可能か否か等の仕事パターンの把握が困難なこと。
【００４８】
また、従来技術によるＧＰＳ機器は、利用者が移動した経路や場所を記録することができるものの、その場所における活動内容を特定することができず、次の課題があった。
［従来技術によるＧＰＳ機器による課題］
（１）住所や施設名等のみでは、生活上の場の位置づけが分からないこと。例えば、その場所が、利用者にとって個人的に意味ある場所（自宅、近所、町内会施設、病院、散歩ルート、実家、商店街他）はどこか、利用者にとって仕事で意味ある場所（事務所、倉庫、営業所、巡回先、通勤ルート、出張先他）はどこか等の生活上の場の位置づけ分からないこと。
（２）その場所で、どの様な活動していたか分からないこと。例えば、公園で休憩や運動か、移動は徒歩か電車か、倉庫で休憩か作業か等の活動内容が分からないこと。
【実施例２】
【００４９】
前述の実施例においては利用者の活動範囲がその領域（地域）の標準時を越える移動範囲（例えば、海外旅行やアメリカ合衆国内において経度が１５度以上変化する移動範囲）の場合、図２に示した活動情報バー２１や領域名称バー２２に表示する時刻が空白又は圧縮される場合が考えられるが、現地の時間帯に応じた表示を行うこともでき、この実施例を次に説明する。
【００５０】
まず、利用者の生活活動範囲が標準時を越えない場合、図７（ａ）に示す如き時系列の活動データを２４時間の範囲で並べた活動情報バーが表示されるが、利用者の生活活動範囲が標準時を過去方向に越えた場合、図７（ｂ）に示す如く、時差による空白時刻帯７０が生じる。尚、この空白時刻帯は、活動量計やＧＰＳ機器が電波時計機能やＧＰＳ機能により時刻を自動的に修正する修正機能を備えるためである。
【００５１】
これに対して本実施例による生活状況可視化サーバ２００は、図７（ｃ）の如く、時差による空白時刻帯７０が生じた活動情報バーが生成された場合、この空白時刻帯７０の開始時刻と終了時刻を検出し、図７（ｄ）及び（ｅ）に示す如く、前記開始時刻以前の活動情報バー７１及び前記開始時刻以降の活動情報バー７３を生成して２段に表示する。
【００５２】
この活動情報バー７１は、利用者の領域Ａにおける時系列の活動データを２４時間の範囲で並べ、１２時以降を領域Ａの時差削除エリア７２として表示した活動情報バーであり、活動情報バー７３は、利用者の領域Ｂにおける時系列の活動データを２４時間の範囲で並べ、１２時以前を領域Ｂの時差削除エリア７２として表示した活動情報バーである。
【００５３】
また、利用者の活動範囲が日付変更線を越えた場合も同様に翌日として表示し、例えば航空機により多数の日付変更線を越えた場合も同様に３段以上の活動情報バーを生成する。
【実施例３】
【００５４】
前述の実施形態においては、利用者の活動情報を位置情報と関連付けて利用者自身の生活シーンをトラッキングする例を説明したが、本発明による生活行動トラッキングシステムは、例えば、高齢者の生活活動を家族や介護従事者が見守るシステムとしても応用することができる。
【００５５】
この実施例による生活行動トラッキングシステムは、高齢者に活動量計及びスマートフォン等のＧＰＳ機器を付与して活動データ及び位置情報を記録し、家庭又は介護施設において活動量計及びＧＰＳ機器の活動データ及び位置情報を活動データＤＢ及びＧＰＳデータＤＢに格納し、高齢者個人毎の複数日数分の活動情報バーを多段に表示することによって、例えば、次のような分析を行うことができる。
【００５６】
（１）睡眠時間の長さや睡眠中目覚め等を観ることにより、睡眠状態を知ることができる。
（２）歩行時間や歩行距離を観ることにより、運動状況を知ることができる。
（３）介護施設において、多数の高齢者の一日の活動情報バーを一覧表示し、多数の高齢者の活動状況を比較することができる。
【００５７】
（４）介護施設において、多数の高齢者の活動データを例えば月単位で集計した数値データの一覧を表計算ソフトウェア形式にて表示し、任意のセルを選択することにより個人の活動情報バーの多数日の一覧表示を行うことにより集団及び個人の生活活動を把握することができる。
（５）介護施設において、睡眠等の活動内容を集団で一覧表示することによって、介護施設内の入居者の睡眠状態を比較することができる。
（６）介護施設において、上記の個人別の活動情報バーを表示することによって、個人毎の介護計画の作成を支援することができる。
【符号の説明】
【００５８】
１１  領域名設定画面、１２  データアップ画面、１３  生活状況閲覧画面、
２０  活動量計、２１  活動情報バー、２２  領域名称バー、３０  ＧＰＳ機器、
５０  領域名称手動設定画面、７０  空白時刻帯、７１  活動情報バー、
７２  時差削除エリア、７３  活動情報バー、２００  生活状況可視化サーバ、
２０５  利用者管理部、２０６  ＧＰＳ領域名称割付部、２０７  活動領域内容表示部、
２０８  活動領域分析部、２０９  領域名称自動生成部、
２１０  領域名称手動生成部
【図１】
2016077660.tif 000003
【図２】
2016077660.tif 000004
【図３】
2016077660.tif 000005
【図４】
2016077660.tif 000006
【図５】
2016077660.tif 000007
【図６】
2016077660.tif 000008
【図７】
2016077660.tif 000009